【手続補正書】
【提出日】平成23年1月28日(2011.1.28)
【手続補正１】
【補正対象書類名】明細書
【補正対象項目名】００１３
【補正方法】変更
【補正の内容】
【００１３】
上記目的を達成するために第１発明に係る発光管アレイ型表示サブモジュールは、複数の発光管を並列に配置してある発光管アレイの一面に、各発光管を横切る方向に延伸する第１の電極と第２の電極とを含む表示電極対を複数配置した電極シートを配設してある発光管アレイ型表示サブモジュールにおいて、前記電極シートの表示電極の延伸方向の両端に、前記第１の電極に接続された第１のコネクタと、前記第２の電極に接続された第２のコネクタとを、前記表示電極の延伸方向に分離して配設してある接続基板を備えることを特徴とする。
【手続補正２】
【補正対象書類名】明細書
【補正対象項目名】００１６
【補正方法】変更
【補正の内容】
【００１６】
また、第２発明に係る発光管アレイ型表示サブモジュールは、第１発明において、前記電極シートの一端に備えた接続基板において、前記第２のコネクタより前記第１のコネクタを該一端側にて最も外側に配置してある発光管から離れた位置に配設してあり、前記電極シートの他端に備えた接続基板において、前記第２のコネクタより前記第１のコネクタを該他端側にて最も外側に配置してある発光管から離れた位置に配設してあることを特徴とする。
【手続補正３】
【補正対象書類名】明細書
【補正対象項目名】００１７
【補正方法】変更
【補正の内容】
【００１７】
第２発明では、第１の電極が接続されている第１のコネクタは、発光管アレイ型表示サブモジュールの両端に備えた接続基板において常に最も外側に配置されている発光管から離れた位置(外側)に配設され、第２の電極が接続されている第２のコネクタは、発光管アレイ型表示サブモジュールの両端に備えた接続基板において常に最も外側に配置されている発光管から近い位置（内側）に配設される。したがって、複数の発光管アレイ型表示サブモジュールを横方向（発光管アレイの延伸方向と略直交する連結方向）にて接続する場合、外側の同種コネクタ同士を接続するケーブルに、内側の同種コネクタ同士を接続するケーブルを重ねて配置することができ、接続ケーブルを折り曲げたりすることなく確実に接続することができ、隣接する発光管アレイ型表示サブモジュール間の隙間を最小にすることが可能となる。また、組み立てた発光管アレイ型表示システムモジュールを今一度複数の発光管アレイ型表示サブモジュールに解体する、再度一枚の発光管アレイ型表示システムモジュールを構成する等の作業が繰り返された場合であっても、第１のコネクタ、第２のコネクタ及び表示電極に過剰な負荷が生じることがなく、過剰な負荷に起因する第１のコネクタ及び／又は第２のコネクタの破損、接続基板の破損、表示電極の変形等を回避することができ、断線等が生じる可能性が低い高品質の表示装置を提供することが可能となる。この場合、共通電極として用いられる第１の表示電極（Ｘ電極）の第１のコネクタを、走査電極として用いられる第２の表示電極(Ｙ電極)の第２のコネクタよりも発光管アレイ型表示サブモジュールの最も外側に配置してある発光管アレイから見て離れた側（外側）に配設することが好ましい。発光管アレイ型表示サブモジュール間でのＹ電極接続ケーブルが短くなることから、ライン抵抗を減らすことができるからである。
【手続補正４】
【補正対象書類名】明細書
【補正対象項目名】００１８
【補正方法】変更
【補正の内容】
【００１８】
また、第３発明に係る発光管アレイ型表示サブモジュールは、第２発明において、前記第２の電極が走査電極として用いられるＹ電極であり、前記第１の電極が共通電極として用いられるＸ電極であり、一端及び他端に備えた前記接続基板において、Ｘ電極に接続された前記第１のコネクタがＹ電極に接続された前記第２のコネクタよりも一端側及び他端側にて最も外側に配置してある発光管から離れた位置に配設してあることを特徴とする。
【手続補正５】
【補正対象書類名】明細書
【補正対象項目名】００１９
【補正方法】変更
【補正の内容】
【００１９】
第３発明では、第２の電極が走査電極として用いられるＹ電極であり、第１の電極が共通電極として用いられるＸ電極であり、一端及び他端に備えた接続基板において、Ｘ電極に接続された第１のコネクタがＹ電極に接続された第２のコネクタよりも一端側及び他端側にて最も外側に配置してある発光管から離れた位置に配設してあることにより、発光管アレイ型表示サブモジュール間でのＹ電極接続ケーブルが短くなることから、ライン抵抗を減らすことができる。
【手続補正６】
【補正対象書類名】特許請求の範囲
【補正対象項目名】全文
【補正方法】変更
【補正の内容】
【特許請求の範囲】
【請求項１】
複数の発光管を並列に配置してある発光管アレイの一面に、各発光管を横切る方向に延伸する第１の電極と第２の電極とを含む表示電極対を複数配置した電極シートを配設してある発光管アレイ型表示サブモジュールにおいて、
前記電極シートの表示電極の延伸方向の両端に、前記第１の電極に接続された第１のコネクタと、前記第２の電極に接続された第２のコネクタとを、前記表示電極の延伸方向に分離して配設してある接続基板を備えることを特徴とする発光管アレイ型表示サブモジュール。
【請求項２】
前記電極シートの一端に備えた接続基板において、前記第２のコネクタより前記第１のコネクタを該一端側にて最も外側に配置してある発光管から離れた位置に配設してあり、前記電極シートの他端に備えた接続基板において、前記第２のコネクタより前記第１のコネクタを該他端側にて最も外側に配置してある発光管から離れた位置に配設してあることを特徴とする請求項１記載の発光管アレイ型表示サブモジュール。
【請求項３】
前記第２の電極が走査電極として用いられるＹ電極であり、前記第１の電極が共通電極として用いられるＸ電極であり、一端及び他端に備えた前記接続基板において、Ｘ電極に接続された前記第１のコネクタがＹ電極に接続された前記第２のコネクタよりも一端側及び他端側にて最も外側に配置してある発光管から離れた位置に配設してあることを特徴とする請求項２記載の発光管アレイ型表示サブモジュール。
【請求項４】
前記電極シートの一端に備えた接続基板において、前記第１のコネクタより前記第２のコネクタを該一端側にて最も外側に配置してある発光管から離れた位置に配設してあり、前記電極シートの他端に備えた接続基板において、前記第２のコネクタより前記第１のコネクタを該他端側にて最も外側に配置してある発光管から離れた位置に配設してあることを特徴とする請求項１記載の発光管アレイ型表示サブモジュール。
【請求項５】
前記電極シートの一端に備えた接続基板と他端に備えた接続基板とが同じ構成を有し、一端に備えた接続基板においては交互に配列された前記第１の電極が前記第１のコネクタに接続され、前記第２の電極が前記第２のコネクタに接続されており、他端に備えた接続基板においては前記第１の電極が前記第２のコネクタに接続され、前記第２の電極が前記第１のコネクタに接続されていることを特徴とする請求項４記載の発光管アレイ型表示サブモジュール。
【請求項６】
前記第１のコネクタを前記第１の電極に接続する第１の配線と、前記第２のコネクタを前記第２の電極に接続する第２の配線とを、前記接続基板の表裏に分離して設けてあることを特徴とする請求項１乃至５のいずれか一項に記載の発光管アレイ型表示サブモジュール。
【請求項７】
請求項１乃至６のいずれか一項に記載の発光管アレイ型表示サブモジュールを、前記発光管の延伸方向と交差する方向に複数個並べて配置し、隣接する表示サブモジュール間において前記第１コネクタ同士間及び第２コネクタ同士間をフレキシブル接続ケーブルにより接続してあることを特徴とする表示装置。
【請求項８】
複数の発光管を並列に配置した発光管アレイの前面に、各発光管を横切る方向に延伸するＸ電極とＹ電極とを含む表示電極対を複数平行に配列した構成を有する発光管アレイ型表示サブモジュールを、前記表示電極対の延伸方向に複数個隣接配置した表示装置であって、
前記各発光管アレイ型表示サブモジュールにおけるＸ電極及びＹ電極は、それぞれの発光管アレイの前面に配置されたフレキシブルシートの上に同じパターンで形成され、
前記各発光管アレイ型表示サブモジュールの裏面の両端には、それぞれ接続基板が配設され、
前記接続基板には、前記フレキシブルシートとともに裏側に折り曲げられた前記Ｘ電極とＹ電極の延長端部を交互に接続する入力コンタクトポイントと、前記表示電極対の延伸方向に分離して設けられた第１のコネクタ及び第２のコネクタと、前記Ｘ電極及び前記Ｙ電極の入力コンタクトポイントを前記第１のコネクタ及び前記第２のコネクタに交互に接続する配線導体が設けられ、
隣接する前記発光管アレイ型表示サブモジュールの隣接端部における前記接続基板上の同種のコネクタ間をそれぞれフレキシブル接続ケーブルで接続してあることを特徴とする表示装置。